(57)【要約】【課題】全体の小型・薄型化に伴う構造上の制約を受けることなく、音響変換器のバックキャビティの容積を増大させ且つ密閉性を高めることができ、音質向上を図り得る携帯端末装置を提供する。【解決手段】スピーカ４の保持部１３ａと、保持部１３ａの開口部２側端部からスピーカ４の外周方向に延設されて筐体１の内面に当接される延設部１３ｂと、延設部１３ｂの周縁から延びて回路基板３に当接されるリブ部１３ｃとを有してスピーカ４を保持する保持部材１３を、回路基板３との間に形成されるスピーカ４の背面側空間としてのバックキャビティ１２を密閉するように配置する。【選択図】図１
2007096843.tif 000002
【特許請求の範囲】
【請求項１】
外部と内部とを連通する開口部を有する筐体と、
該筐体の開口部が設けられる面に対向して前記筐体内部に配置される回路基板と、
該回路基板と前記開口部との間における前記筐体内部に配置され且つ前記開口部を介して音声の入出力を行う音響変換器と、
該音響変換器を保持する保持部材と
を備えた携帯端末装置において、
前記保持部材は、
前記音響変換器の側部を保持すると共に、前記回路基板との間に間隙を有して配置される保持部と、
該保持部の前記開口部側端部から前記音響変換器の外周方向に延設されると共に、前記筐体の内面に当接される延設部と、
該延設部の周縁から前記回路基板側に延び、その端部が前記回路基板に当接されるリブ部と
を備えて構成され、且つ
前記回路基板との間に形成される前記音響変換器の背面側空間を密閉するように構成されることを特徴とする携帯端末装置。
【請求項２】
前記保持部は、前記音響変換器と前記開口部が設けられる筐体内面との間に前面側空間が形成されるように前記音響変換器を保持することを特徴とする請求項１記載の携帯端末装置。
【請求項３】
前記音響変換器は、前記回路基板との間に該回路基板と電気接続される電気接続部材を有することを特徴とする請求項１又は２記載の携帯端末装置。
【請求項４】
前記音響変換器は、前記回路基板との間に設けられる付勢部材によって前記筐体内面側に付勢されることを特徴とする請求項１乃至３のうちいずれか一つに記載の携帯端末装置。
【請求項５】
前記保持部材は、自己粘着性を有する材質で形成されていることを特徴とする請求項１乃至４のうちいずれか一つに記載の携帯端末装置。
【請求項６】
前記回路基板は、前記筐体内面に対向する面上に電子部品が実装され、
前記保持部材は、前記背面側空間内に前記電子部品を収納するように配置されることを特徴とする請求１乃至５のうちいずれか一つに項記載の携帯端末装置。
【請求項７】
前記保持部材は、前記リブ部が前記回路基板に当接する部位と前記電子部品に当接する部位とを有し、当接する電子部品に沿った段差形状を有するように形成されることを特徴とする請求項６記載の携帯端末装置。
【発明の詳細な説明】
【技術分野】
【０００１】
本発明は、携帯電話等の携帯端末装置に関し、特に、音楽等の再生時における音質向上を図ることができるようにした携帯端末装置に関するものである。
【背景技術】
【０００２】
一般に、携帯電話等の携帯端末装置は、筐体の内部に音響変換器としてのスピーカが内蔵されており、該スピーカより、待受け時には電話やメールの着信音を鳴らしたり、通話時には音声を出力したりするようになっている。
【０００３】
図８は従来の携帯端末装置の一例を示すものであって、筐体１の表面所要箇所に、外部と内部とを連通する開口部２を形成し、該筐体１の開口部２が設けられる面に対向して略平行となるように前記筐体１内部に回路基板３を配置し、該回路基板３と前記開口部２との間における前記筐体１内部に、前記開口部２から音声の入出力を行うスピーカ４を、ホルダー部材５を介して配置した構成を有している。
【０００４】
前記ホルダー部材５は、その中央に配置穴６が設けられた略リング状をなすと共にその内周部に嵌合溝７が設けられて、スピーカ４の前面側周縁部を保持する前面側保持部８と、スピーカ４の背面側周縁部を保持する背面側保持部９とが形成され、前記前面側保持部８の表面を前記筐体１の内面に密着させ、且つ前記背面側保持部９と連設される基板側取付部１０を回路基板３の表面に密着させ、これにより、スピーカ４の外周部を包持するようになっている。
【０００５】
尚、図８に示されるような構造の携帯端末装置と関連する一般的技術水準を示すものとしては、例えば、特許文献１がある。
【特許文献１】特開平１０−４２３８３号公報
【発明の開示】
【発明が解決しようとする課題】
【０００６】
ところで、従来の携帯端末装置の場合、着信音を鳴らすことができる機能だけを有していれば良かったため、音質についてはあまり重要視されておらず、音が多少割れていても通用していたが、近年の携帯端末装置の場合、「着メロ（登録商標）」、「着うた（登録商標）」等、音楽を聴く仕様が要求されるようになっており、音を如何に大きく且つ音質を如何に良くするかが、開発を進める上で非常に重要なポイントとなっている。
【０００７】
ここで、音質を良くするためには、スピーカ４の前面側空間としてのフロントキャビティ１１の大きさと密閉度を確保すると共に、スピーカ４の背面側空間としてのバックキャビティ１２の大きさと密閉度を確保する必要がある。
【０００８】
しかしながら、図８に示されるような従来の携帯端末装置では、近年、特に要求度の増している全体の小型・薄型化に伴う構造上の制約から、スピーカ４の前面側のフロントキャビティ１１を大きくすることはほとんど限界に来ており、又、回路基板３の筐体１内面に対向する面上にはたくさんの電子部品（図示せず）が実装されることに加えて、ホルダー部材５はスピーカ４の背面側を保持する背面側保持部９と基板側取付部１０とが連設されているため、前記バックキャビティ１２を大きくすることもできず、音質向上を図ることが困難となっていた。
【０００９】
本発明は、斯かる実情に鑑み、全体の小型・薄型化に伴う構造上の制約を受けることなく、音響変換器のバックキャビティの容積を増大させ且つ密閉性を高めることができ、音質向上を図り得る携帯端末装置を提供しようとするものである。
【課題を解決するための手段】
【００１０】
本発明は、外部と内部とを連通する開口部を有する筐体と、
該筐体の開口部が設けられる面に対向して前記筐体内部に配置される回路基板と、
該回路基板と前記開口部との間における前記筐体内部に配置され且つ前記開口部を介して音声の入出力を行う音響変換器と、
該音響変換器を保持する保持部材と
を備えた携帯端末装置において、
前記保持部材は、
前記音響変換器の側部を保持すると共に、前記回路基板との間に間隙を有して配置される保持部と、
該保持部の前記開口部側端部から前記音響変換器の外周方向に延設されると共に、前記筐体の内面に当接される延設部と、
該延設部の周縁から前記回路基板側に延び、その端部が前記回路基板に当接されるリブ部と
を備えて構成され、且つ
前記回路基板との間に形成される前記音響変換器の背面側空間を密閉するように構成されることを特徴とする携帯端末装置にかかるものである。
【００１１】
又、前記保持部は、前記音響変換器と前記開口部が設けられる筐体内面との間に前面側空間が形成されるように前記音響変換器を保持する構成とすることにより、音量増大を図る上で有効となる。
【００１２】
又、前記音響変換器は、前記回路基板との間に該回路基板と電気接続される電気接続部材を有する構成とすることにより、電気配線構造を簡素化する上で有効となる。
【００１３】
又、前記音響変換器は、前記回路基板との間に設けられる付勢部材によって前記筐体内面側に付勢される構成とすることにより、保持部並びに延設部と筐体内面との当接を確実化し、前面側空間又は背面側空間の密閉度を向上させる上で有効となる。
【００１４】
又、前記保持部材は、自己粘着性を有する材質で形成される構成とすることにより、保持部材と筐体内面並びに回路基板との当接をより確実化し、前面側空間並びに背面側空間の密閉度を向上させる上で有効となる。
【００１５】
又、前記回路基板は、前記筐体内面に対向する面上に電子部品が実装され、
前記保持部材は、前記背面側空間内に前記電子部品を収納するように配置される構成とすることにより、保持部材の配置自由度を増し、且つ背面側空間の容積を増大させて音質向上を図る上で有効となる。
【００１６】
更には、前記保持部材は、前記リブ部が前記回路基板に当接する部位と前記電子部品に当接する部位とを有し、当接する電子部品に沿った段差形状を有するように形成される構成とすることにより、保持部材の配置自由度をより向上させ、且つ背面側空間の容積を増大させて音質向上を図る上で有効となる。
【発明の効果】
【００１７】
本発明の携帯端末装置によれば、全体の小型・薄型化に伴う構造上の制約を受けることなく、音響変換器のバックキャビティの容積を増大させ且つ密閉性を高めることができ、音質向上を図り得るという優れた効果を奏し得る。
【発明を実施するための最良の形態】
【００１８】
以下、本発明の実施の形態を添付図面を参照して説明する。
【００１９】
ここで説明する実施の形態は、本発明を携帯端末装置としての携帯電話機に適用した場合のものである。
【００２０】
図１に示す如く、この実施の形態に係る携帯電話機２０は、第一の筐体１と、該第一の筐体１の厚さ方向に重ね合わせ可能な第二の筐体１´と、これら二つの筐体１，１´を相互に折り畳み自在に連結するヒンジ部２１とを備えている。尚、前記ヒンジ部２１は、二つの筐体１，１´の各基端部１ａ，１ａ´同士を連結するように配されている。
【００２１】
前記第一の筐体１の表面（二つの筐体１，１´を折り畳んだ状態において第二の筐体１´に対向する第一の筐体１の面）には、各種の押圧可能な操作キー２２を備えたキー操作部２３、及び通話用のマイクロフォン部２４等が設けられる一方、前記第一の筐体１の内部には、操作キー２２の操作等に応じて各種制御を行う制御手段を構成する回路基板３（図２〜図６に図示）が設けられており、前記第一の筐体１の背面には、図示していないスピーカが配置されており、本発明は、このスピーカの取付構造を一例としている。
【００２２】
尚、前記第二の筐体１´の表面（二つの筐体１，１´を折り畳んだ状態において第一の筐体１に対向する第二の筐体１´の面）には、各種情報を表示するＬＣＤ（Liquid Crystal Display）等の表示部２５、及び受話用のスピーカ部２６が設けられている。
【００２３】
そして、図２は本発明を実施する形態の第一例であって、図中、図８と同一の符号を付した部分は同一物を表わしており、弾性を有するゴム系の材質で形成され且つ保持部１３ａと延設部１３ｂとリブ部１３ｃとを有してスピーカ４を保持する保持部材１３を、回路基板３との間に形成されるスピーカ４の背面側空間としてのバックキャビティ１２を密閉するように配置したものである。
【００２４】
前記保持部１３ａは、前記回路基板３との間に間隙を有して保持部材１３の略中心部に配置され、前記スピーカ４の側部を保持し、該スピーカ４と前記開口部２が設けられる筐体１内面との間に前面側空間としてのフロントキャビティ１１が形成されるようなっている。
【００２５】
前記延設部１３ｂは、前記保持部１３ａの開口部２側端部から前記スピーカ４の外周方向に延設されると共に、前記筐体１の内面に当接されるようになっている。
【００２６】
前記リブ部１３ｃは、前記延設部１３ｂの周縁から前記回路基板３側に延び、その端部が前記回路基板３に当接されるようになっている。
【００２７】
一方、前記スピーカ４は、前記回路基板３との間に該回路基板３と電気接続される電気接続部材１４を有し、該電気接続部材１４を図２に示す如く弾性部材であるバネ端子（付勢手段）で構成することにより、前記スピーカ４を前記筐体１内面側に付勢するようにしてある。尚、前記電気接続部材１４をバネ端子で構成する代わりに、コネクタ付きの線材とし、該コネクタを前記回路基板３に接続して前記スピーカ４と前記回路基板３とを電気接続し、前記コネクタ付きの線材とした電気接続部材１４とは別に弾性部材等の付勢部材を設け、該付勢部材によって前記スピーカ４を前記筐体１内面側に付勢するようにしても良い。
【００２８】
前記回路基板３の前記筐体１内面に対向する面上には、種々の電子部品１５が実装され、前記保持部材１３は、前記バックキャビティ１２内に前記電子部品１５を収納するように配置してある。
【００２９】
次に、上記図示例の作用を説明する。
【００３０】
前記保持部材１３に延設部１３ｂを設けると共に、回路基板３に当接するリブ部１３ｃを設けたことにより、前記スピーカ４のバックキャビティ１２を密閉した状態でその容積を増大させることが可能となり、音質を向上させることが可能となる。
【００３１】
前記保持部１３ａは、前記スピーカ４と前記開口部２が設けられる筐体１内面との間にフロントキャビティ１１が形成されるように前記スピーカ４を保持するため、音量増大を図ることが可能となる。
【００３２】
前記スピーカ４は、前記回路基板３との間に該回路基板３と電気接続される電気接続部材１４を有しているため、電気配線構造を簡素化することが可能となり、しかも、前記電気接続部材１４を弾性部材等の付勢部材であるバネ端子で構成することにより、前記スピーカ４を前記筐体１内面側に付勢するようにしてあるため、保持部１３ａ並びに延設部１３ｂと筐体１内面との当接を確実化し、フロントキャビティ１１の密閉度を向上させることが可能となる。
【００３３】
又、前記回路基板３の前記筐体１内面に対向する面上には電子部品１５が実装されているが、前記保持部材１３は、前記バックキャビティ１２内に前記回路基板３上の電子部品１５を収納するように配置されるため、保持部材１３の配置自由度を増し、且つバックキャビティ１２の容積を増大させて音質向上を図ることが可能となる。
【００３４】
因みに、前記保持部材１３を、弾性を有するゴム系の材質で形成した場合、保持部材１３の延設部１３ｂの厚さｔをおよそ１［ｍｍ］程度にすれば、保持部１３ａ及び延設部１３ｂは、撓むことなく筐体１内面にしっかりと貼り付く形となる。
【００３５】
又、前記保持部材１３のリブ部１３ｃの厚さＴに関しては、およそ２［ｍｍ］程度にすれば、回路基板３の表面に密着させることが可能となる。
【００３６】
こうして、全体の小型・薄型化に伴う構造上の制約を受けることなく、スピーカ４のバックキャビティ１２の容積を増大させ且つ密閉性を高めることができ、音質向上を図り得る。
【００３７】
図３は本発明を実施する形態の第二例であって、図中、図２と同一の符号を付した部分は同一物を表わしており、基本的な構成は図２に示すものと同様であるが、本図示例の特徴とするところは、図３に示す如く、前記リブ部１３ｃの回路基板３に当接する部分の幅Ｗを広げてフランジ部１３ｄを形成すると共に、該フランジ部１３ｄを前記回路基板３との間で挟み込むように保持するリブ１６を前記筐体１内面から延設した点にある。
【００３８】
前述の如く、リブ部１３ｃの回路基板３に当接する部分の幅を広げてフランジ部１３ｄを形成すると共に、該フランジ部１３ｄを前記回路基板３との間で挟み込むように保持するリブ１６を前記筐体１から延設すると、フランジ部１３ｄが回路基板３の表面に確実に密着し、保持部材１３のリブ部１３ｃの厚さが薄くても、スピーカ４のバックキャビティ１２の密閉度をより向上させることが可能となる。
【００３９】
因みに、弾性を有するゴム系の材質で形成した保持部材１３の場合、前記リブ部１３ｃのフランジ部１３ｄの幅Ｗは、およそ５［ｍｍ］程度にすれば良い。
【００４０】
図４は本発明を実施する形態の第三例であって、図中、図２と同一の符号を付した部分は同一物を表わしており、基本的な構成は図２に示すものと同様であるが、本図示例の特徴とするところは、図４に示す如く、前記保持部材１３を、スチレン系ポリマー或いはスチレン系エラストマー等の自己粘着性を有する材質で形成した点にある。尚、前記筐体１内面には、前記保持部材１３の位置決めをしやすくするために、保持部材１３の外形形状に合わせたリブ１７を突設してある。
【００４１】
前記スチレン系ポリマー或いはスチレン系エラストマー等は、広い温度範囲で高弾性、抗張力に優れ、自己粘着性を有する材料であり、成形時における金型からの抜きに関し融通性が高いため、アンダーカット形状を形成することが容易で、成形の自由度が高い。
【００４２】
そして、前述の如く、保持部材１３を、スチレン系ポリマー或いはスチレン系エラストマー等の自己粘着性を有する材質で形成すると、保持部材１３の保持部１３ａ及び延設部１３ｂは、筐体１内面にしっかりと貼り付くため、延設部１３ｂの厚さｔはおよそ０．５［ｍｍ］程度にも薄くすることが可能となる。
【００４３】
又、前記保持部材１３のリブ部１３ｃの厚さＴに関しては、およそ１〜１．５［ｍｍ］程度にしても、回路基板３の表面に密着させることが可能となる。
【００４４】
この結果、前記保持部材１３と筐体１内面並びに回路基板３との当接をより確実化し、スピーカ４のフロントキャビティ１１並びにバックキャビティ１２の密閉度をより向上させることが可能となる。
【００４５】
図２、図３、及び図４にはそれぞれ、前記回路基板３の表面に実装された電子部品１５と干渉しないようにその外周を包囲する形でリブ部１３ｃを回路基板３に密着させた例を示したが、図５に示す如く、電子部品１５を避けずに、前記保持部材１３のリブ部１３ｃが前記回路基板３に当接する部位と前記電子部品１５に当接する部位とを有するようにしても良い。尚、前記保持部材１３のリブ部１３ｃの平断面形状は、必ずしも真四角である必要は無く、電子部品１５の配置に合わせて自由な形状にすることができる。又、図５中、１８は前記回路基板３上に形成された接点としてのスピーカパターンであり、前記電気接続部材１４を弾性部材等の付勢部材であるバネ端子で構成した場合に、該バネ端子が前記スピーカパターン１８に接触するようになっている。
【００４６】
ここで、例えば、図５のＶＩａ−ＶＩａ断面部分のようにリブ部１３ｃが電子部品１５とぶつかる箇所については、図６（ａ）に示す如く、電子部品１５の上から外側にリブ部１３ｃを膨らませて段差形状を有するようにし、該電子部品１５を覆うことで回路基板３と密着させることができる。
【００４７】
又、図５のＶＩｂ−ＶＩｂ断面及びＶＩｃ−ＶＩｃ断面部分のように大きな電子部品１５が存在している場合には、図６（ｂ）及び図６（ｃ）に示す如く、電子部品１５の上面にそのままリブ部１３ｃを密着させることもできる。尚、図６（ａ）に示すものと同様に、電子部品１５の上から外側にリブ部１３ｃを膨らませるだけのスペースがある場合には、それでも良い。
【００４８】
更に又、図５のＶＩＩ部のように電子部品１５が密集している場合には、図７に示す如く、複数個の電子部品１５に被せられる程度にリブ部１３ｃの厚さを厚くし、各電子部品１５の形状に合致した段差形状としての凹部１９を形成し、密着させることもできる。尚、電子部品１５に対し保持部材１３のリブ部１３ｃを押し付けたとしても、スチレン系ポリマー或いはスチレン系エラストマー等は高弾性を有するため、電子部品１５を傷付けたりする心配は無い。
【００４９】
即ち、前述の如く、前記保持部材１３のリブ部１３ｃが前記回路基板３に当接する部位と前記電子部品１５に当接する部位とを有し、当接する電子部品１５に沿った段差形状を有するように形成すると、保持部材１３の配置自由度をより向上させ、且つバックキャビティ１２の容積を増大させて音質向上を図る上で有効となる一方、携帯端末装置の落下時等に電子部品１５に加わる衝撃を保持部材１３によって吸収し、電子部品１５の破損を回避することも可能となる。
【００５０】
尚、本発明の携帯端末装置は、上述の図示例にのみ限定されるものではなく、本発明の要旨を逸脱しない範囲内において種々変更を加え得ることは勿論である。又、携帯電話機以外の携帯端末装置に本発明を適用可能であることは言うまでもない。
【図面の簡単な説明】
【００５１】
【図１】本発明を適用する携帯電話機の一例を示す斜視図である。
【図２】本発明を実施する形態の第一例の側断面図である。
【図３】本発明を実施する形態の第二例の側断面図である。
【図４】本発明を実施する形態の第三例の側断面図である。
【図５】本発明を実施する形態の各例における保持部材の回路基板に対する密着面を示す斜視図である。
【図６】（ａ）は図５のＶＩａ−ＶＩａ断面図、（ｂ）は図５のＶＩｂ−ＶＩｂ断面図、（ｃ）は図５のＶＩｃ−ＶＩｃ断面図である。
【図７】回路基板に配置される電子部品に沿った保持部材の段差形状を示す斜視図であって、図５のＶＩＩ部相当図である。
【図８】従来の携帯端末装置の一例を示す側断面図である。
【符号の説明】
【００５２】
１    筐体
２    開口部
３    回路基板
４    スピーカ（音響変換器）
１１    フロントキャビティ（前面側空間）
１２    バックキャビティ（背面側空間）
１３    保持部材
１３ａ  保持部
１３ｂ  延設部
１３ｃ  リブ部
１４    電気接続部材（付勢部材）
１５    電子部品
２０    携帯電話機（携帯端末機器）
【図１】
2007096843.tif 000003
【図２】
2007096843.tif 000004
【図３】
2007096843.tif 000005
【図４】
2007096843.tif 000006
【図５】
2007096843.tif 000007
【図６】
2007096843.tif 000008
【図７】
2007096843.tif 000009
【図８】
2007096843.tif 000010